(57)【要約】      （修正有）【課題】大量に発生する高含水汚泥も脱水乾燥効率良い天日乾燥を確保し得ながら、従来の多段式の汚泥脱水乾燥装置に比べ多少の敷地面積を必要とするもののリフター装置を不要にして設備コストの低減を図れる汚泥脱水乾燥装置を提供する。【解決手段】同一地面上に横方向に長い主乾燥棚１と副乾燥棚２とを横複数列に平行に並べて配置する。主乾燥棚１及び副乾燥棚２上にはそれぞれ、砂の通過を阻止し且つ水及び空気の通過を許容する濾布が上面開放状の多孔容器本体の内部に敷設され、汚泥を収容する複数個の濾過容器３が主、副乾燥棚１，２の長手方向に並べて載置される。主乾燥棚１及び副乾燥棚２の長手方向の同一一側端には搬入・搬出ライン１０が、同一他側端には移動ライン１１がそれぞれ配置される。【選択図】図１
0003113242.tif 000002
【実用新案登録請求の範囲】
【請求項１】
同一地面上に横方向に長い１本もしくは２本以上の主乾燥棚と、１本もしくは２本以上の副乾燥棚とが横複数列に平行に並べて配置されており、
前記主乾燥棚及び副乾燥棚上にそれぞれ、砂の通過を阻止し且つ水及び空気の通過を許容する濾布が上面開放状の多孔容器本体の内部に敷設され前記濾布上に汚泥を収容する複数個の濾過容器が主、副乾燥棚の長手方向に並べて載置されており、
前記主乾燥棚及び副乾燥棚の長手方向の同一一側端に搬入・搬出ラインが、同一他側端に移動ラインがそれぞれ主乾燥棚及び副乾燥棚と直交する縦方向に配置されており、
前記搬入・搬出ラインに、前記汚泥入り濾過容器を前記主乾燥棚の一側端側から該主乾燥棚上に順次積み込む動作と前記副乾燥棚上の乾燥処理済み汚泥入り濾過容器を該副乾燥棚の一側端側から取出して搬出する動作を行なう給排装置を備えており、
前記移動ラインに、前記主乾燥棚上の濾過容器を該主乾燥棚の他側端側から前記副乾燥棚の他側端側へ移載する移載装置を備えていることを特徴とする、汚泥脱水乾燥装置。
【考案の詳細な説明】
【技術分野】
【０００１】
本考案は、浄水場や下水処理場、あるいは河川、ため池などで発生する汚泥を天日乾燥させるための汚泥脱水乾燥装置に関する。
【背景技術】
【０００２】
この種の汚泥脱水乾燥装置として、先に同一出願人により、図７に示すように、複数の乾燥棚２１〜２４を上下に所定間隔を置いて数段階に重合配置し、乾燥棚２１〜２４の両端部に汚泥を収容する濾過容器２０を各段の乾燥棚の高さまで昇降させるリフター装置２５Ｌ，２５Ｒを配置させて、汚泥入り濾過容器２０を下段の乾燥棚から上段の乾燥棚へリフター装置２５Ｌ，２５Ｒにより順次移動させながら高含水汚泥も乾燥効率良く天日乾燥できるようにしたものを提案した（例えば、特許文献１参照。）。
【０００３】
【特許文献１】特許第３６１６７３８号公報
【考案の開示】
【考案が解決しようとする課題】
【０００４】
しかるに、上記のような多段式の汚泥脱水乾燥装置では、複数の乾燥棚２１〜２４を上下に数段階に重合配置するため、大量汚泥を天日乾燥する場合にも敷地面積の有効利用を図れるが、その半面、太陽の光が上段側の棚により遮られて下段側の棚が日陰になる場合があり、それだけ天日乾燥効率が低下することがあり、また濾過容器２０を各段の棚２１〜２４の高さまで昇降させるためのリフター装置２５Ｌ，２５Ｒを必要とするため、設備コストが高くなるという問題があった。
【０００５】
本考案の目的は、大量に発生する高含水汚泥も脱水乾燥効率良い天日乾燥を確保し得ながら、上記のような多段式の汚泥脱水乾燥装置に比べ多少の敷地面積を必要とするもののリフター装置を不要にして設備コストの低減を図れる汚泥脱水乾燥装置を提供することにある。
【課題を解決するための手段】
【０００６】
本考案の汚泥脱水乾燥装置は、その考案の内容を理解しやすくするために図１、図６に示した符号を参照して説明すると、同一地面上に横方向に長い１本もしくは２本以上の主乾燥棚（１）と、１本もしくは２本以上の副乾燥棚（２）とが横複数列に平行に並べて配置されており、主乾燥棚（１）及び副乾燥棚（２）上にそれぞれ、砂の通過を阻止し且つ水及び空気の通過を許容する濾布（４）が上面開放状の多孔容器本体（５）の内部に敷設され濾布（４）上に汚泥を収容する複数個の濾過容器（３）が主、副乾燥棚（１）（２）の長手方向に並べて載置されており、主乾燥棚（１）及び副乾燥棚（２）の長手方向の同一一側端に搬入・搬出ライン（１０）が、同一他側端に移動ライン（１１）がそれぞれ主乾燥棚（１）及び副乾燥棚（２）と直交する縦方向に配置されており、搬入・搬出ライン（１０）に、汚泥入り濾過容器（３）を主乾燥棚（１）の一側端側から該主乾燥棚上に積み込む動作と副乾燥棚（２）上の乾燥処理済み汚泥入り濾過容器（３）を該副乾燥棚の一側端側から取出して搬出する動作を行なう給排装置（１２）を備えており、移動ライン（１１）に、主乾燥棚（１）上の濾過容器（３）を該主乾燥棚の他側端側から副乾燥棚（２）の他側端側へ移載する移載装置（１６）を備えていることに特徴を有するものである。
【考案の効果】
【０００７】
上記構成の汚泥脱水乾燥装置によれば、水中から汲み上げられた汚泥は濾過容器に収容され、この濾過容器を主乾燥棚及び副乾燥棚の上に載置して数週間放置することで脱水、天日乾燥される。その際、当初、汚泥中の水は濾過容器の濾布を通して下方に滴下する。その後は濾過容器の開放上面からだけでなく、濾過容器の周側面及び底面からも汚泥中の水分が蒸発することになる。したがって、水の滴下終了後は汚泥における外気に接触する面積、即ち水分の蒸発面積が大幅に広くなり、汚泥の乾燥効率が高められる。つまり、汚泥入りの濾過容器が主乾燥棚、副乾燥棚の上に置かれることにより、汚泥の水切り、乾燥がきわめて良好になる。
【０００８】
とくに、主乾燥棚及び副乾燥棚は同一地面上に並べて配置されるため、前述した従来の多段式の汚泥脱水乾燥装置に比べ、全ての乾燥棚に対し日当たりが良好となり、天日乾燥効率が高められ、しかも高価なリフター装置は不要となるため設備コストを低減できる利点がある。加えて、汚泥入り濾過容器は搬入・搬出ライン、主乾燥棚、移動ライン、副乾燥棚の順に流して搬入・搬出ラインに戻す、という一定方向に流す制御システムで済む利点もある。
【考案を実施するための最良の形態】
【０００９】
本考案の好適な実施形態を図面に基づき説明する。図１は本考案の一実施例の汚泥脱水乾燥装置を概略的に示す平面図、図２は図１の汚泥脱水乾燥装置の搬入・搬出ラインの平面図、図３は図１の汚泥脱水乾燥装置の搬入・搬出ラインの側面図、図４は図３におけるＡ−Ａ線断面図、図５は図３におけるＢ−Ｂ線断面図、図６は汚泥脱水乾燥装置に使用される濾過容器の分解斜視図である。
【００１０】
本考案の一実施例を示す汚泥脱水乾燥装置は、図外の透光性屋根の下において、図１のように、横方向に長い２本の主乾燥棚１と１本の副乾燥棚２とを同一地面上に横３列に平行に並べて配置する。
主乾燥棚１及び副乾燥棚２上にはそれぞれ、汚泥を収容する複数個の濾過容器３が主，副乾燥棚１，２の長手方向に並べて載置される。各濾過容器３は、図６に示すように、砂の通過を阻止し且つ水及び空気の通過を許容する濾布４が上面開放状の多孔容器本体５の内部に敷設されてなる。多孔容器本体５は、細い鉄筋で大きい篭目を形成するよう四角形の浅い皿状に編組して作った籠や、透明なプラスチック材で多数の孔を有する四角形の浅い皿形状に成形したものなどからなる。濾過容器３の大きさや形状は、特に限定されないが、例えば、縦２ｍ、横３ｍ、高さ２０ｃｍ程度の大きさのものを使用する。
主乾燥棚１及び副乾燥棚２はそれぞれ、例えば、架台６の上にコンベアチェーン７を設置し、このコンベアチェーン７上に濾過容器３を載せるようにしている。
【００１１】
そして、主乾燥棚１及び副乾燥棚２の長手方向（矢印Ｃ方向）の同一一側端には搬入・搬出ライン１０が、同一他側端には移動ライン１１がそれぞれ主乾燥棚１及び副乾燥棚２と直交する縦方向（矢印Ｄ方向）に配置される。
搬入・搬出ライン１０には、汚泥入り濾過容器３を主乾燥棚１の一側端側（入り口側）１ａから該主乾燥棚１上に玉突き状に積み込む動作と、副乾燥棚２上の乾燥処理済み汚泥入り濾過容器３を該副乾燥棚２の一側端側（出口側）２ａから取出して搬出する動作を行なう給排装置１２を備える。
搬入・搬出ライン１０の具体的な構造としては、例えば、図２、図３に示すように、主乾燥棚１及び副乾燥棚２と直交する縦方向（矢印Ｄ方向）にレール１３を敷き、このレール１３の上に自走式台車１４を往復動自在に走行させるようにしてなる。給排装置１２は自走式台車１４上に一つの濾過容器３を搭載し得て横方向（矢印Ｅ方向）に駆動可能なチェーンコンベア１５を設置してなる。
【００１２】
移動ライン１１には、主乾燥棚１上の濾過容器３を該主乾燥棚１の他側端側（出口側）１ｂから副乾燥棚２の他側端側（入り口側）２ｂへ移載する移載装置１６を備える。移動ライン１１の具体的な構造例としては、図示省略するが、搬入・搬出ライン１０の場合と同様に、主乾燥棚１及び副乾燥棚２と直交する縦方向にレールを敷き、このレールの上に自走式台車を往復動自在に走行させるようにしてなる。移載装置１６は、給排装置１２の場合と同様に、自走式台車上に一つの濾過容器を搭載し得て横方向に駆動可能なチェーンコンベアを設置してなる。
【００１３】
次に、上記構成の汚泥脱水乾燥装置の作動について説明する。
まず、高含水の汚泥を濾過容器３に投入し、この汚泥入り濾過容器３を搬入・搬出ライン１０における自走式台車１４上の給排装置１２のチェーンコンベア１５に載せ、自走式台車１４を主乾燥棚１の一側端側（入口側）１ａに停止させて給排装置１２のチェーンコンベア１５の駆動で汚泥入り濾過容器３を主乾燥棚１上に積み込む。その際、主乾燥棚１上には、複数個の汚泥入り濾過容器３が順次玉突き状に積み込まれて主乾燥棚長手方向に並ぶ状態に満載される。他の主乾燥棚１にも同様に複数個の汚泥入り濾過容器３が順次玉突き状に積み込んで満載する。このように汚泥入り濾過容器３は主乾燥棚１上に満載させた状態で数週間（例えば、３週間）ほど天日乾燥される。当初、各濾過容器３内の汚泥中の水は濾布４を通して滴下し、その後、濾過容器３の開放上面、濾過容器３の周側面及び底面から汚泥中の水分が蒸発し、汚泥を十分に乾燥することができる。
【００１４】
主乾燥棚１上で乾燥された汚泥入りの濾過容器３は、駄目押し乾燥のために、移動ライン１１の移載装置１６により主乾燥棚１の他側端側（出口側）１ｂから副乾燥棚２の他側端側（入り口側）２ｂへ移載する。この移載に際しては、搬入・搬出ライン１０の給排装置１２による積み込みの場合と同様に、移載装置１６のチェーンコンベアの駆動で順次移載されて副乾燥棚２上に満載される。この副乾燥棚２上では１週間ほど駄目押し乾燥される。
駄目押し乾燥後には、図４に示すように、搬入・搬出ライン１０の給排装置１２により副乾燥棚２上の乾燥処理済み汚泥入り濾過容器３を該副乾燥棚２の一側端側（出口側）２ａからチェーンコンベア１５上に取出し、図５のように自走式台車１４上で該チェーンコンベア１５を乾燥処理済み汚泥入り濾過容器３ごと操作シリンダー１７で軸Ｏ回りに反転させて乾燥処理済み汚泥入り濾過容器３から乾燥処理済み汚泥をベルトコンベア１８に移し、該ベルトコンベア１８で処理済汚泥集積場１９（図１参照）へ搬出する。
搬出後、空になった濾過容器３には再び高含水の汚泥が投入され、給排装置１２により前述した要領で主乾燥棚１上に積み込まれて行く。因みに、処理済汚泥集積場１９へ集積された乾燥汚泥は、例えばレンガの原料などに使用される。
【００１５】
このように大量の高含水汚泥も小分けして多数の濾過容器３に収容し、この多数の汚泥入り濾過容器３を搬入・搬出ライン１０、主乾燥棚１、移動ライン１１、副乾燥棚２の順に流し、主乾燥棚１上で所定日数だけ脱水、天日乾燥し、更に副乾燥棚２上では駄目押し乾燥した後、再び搬入・搬出ライン１０に戻すサイクルを経ることによって効率良く乾燥処理することができる。
【００１６】
尚、上記実施例では主乾燥棚１が２本配置されるが、１本であっても、３本以上配置するもよい。また、上記実施例では副乾燥棚２が１本設置されるが、２本以上設置するもよい。
【図面の簡単な説明】
【００１７】
【図１】本考案の一実施例の汚泥脱水乾燥装置を概略的に示す平面図である。
【図２】図１の汚泥脱水乾燥装置の搬入・搬出ラインの平面図である。
【図３】図１の汚泥脱水乾燥装置の搬入・搬出ラインの側面図である。
【図４】図３におけるＡ−Ａ線断面図である。
【図５】図３におけるＢ−Ｂ線断面図である。
【図６】汚泥脱水乾燥装置に使用される濾過容器の分解斜視図である。
【図７】従来例の汚泥脱水乾燥装置の正面図である。
【符号の説明】
【００１８】
１  主乾燥棚
２  副乾燥棚
３  濾過容器
４  濾布
５  多孔容器本体
１０  搬入・搬出ライン
１１  移動ライン
１２  給排装置
１６  移載装置
【図１】
0003113242.tif 000003
【図２】
0003113242.tif 000004
【図３】
0003113242.tif 000005
【図４】
0003113242.tif 000006
【図５】
0003113242.tif 000007
【図６】
0003113242.tif 000008
【図７】
0003113242.tif 000009